(57)【要約】      （修正有）【課題】吐水口から吐水した湯で洗顔を行う場合の吐水操作を簡便なものとすることができる吐水装置を提供する。【解決手段】設定温度に従った湯温の湯を吐水口６かシャワーヘッド７かの選択されたいずれか一方の吐水先から吐出する吐水装置で、操作部８０で設定された湯温に応じて流量調整部１３，２３を制御するとともに操作部８０で選択された吐水先に流路切換を行うコントローラ８を備える。コントローラ８は、連続吐水と、流量測定部４２で測定された流量が所定量に達した時点で止水を行う定量吐水の２つのモードを備え、操作部８０で設定された湯温が所定温度よりも高いとき、定量吐水時のみ、吐出する湯の温度を所定温度に抑制する。【選択図】図１
2015113579.tif 000002
【特許請求の範囲】
【請求項１】
供給される水と湯を混合して設定温度に従った湯温の湯を、吐水口かシャワーヘッドかの選択されたいずれか一方の吐水先から吐出する吐水装置であって、吐水と止水とを行う止水弁と、水と湯の混合比を調整する流量調整部と、混合された湯の流量を測定する流量測定部と、湯温設定と吐水先選択のための操作部と、上記操作部で設定された湯温に応じて上記流量調整部を制御するとともに上記操作部で選択された吐水先に流路切換を行うコントローラとを備えており、上記コントローラは、操作部から止水指示を受けて止水を行う連続吐水と、上記流量測定部で測定された流量が所定量に達した時点で止水を行う定量吐水の２つのモードを備え、上記コントローラは、定量吐水のモードでは操作部で設定された湯温が所定温度よりも高い時、吐出する湯の温度を上記所定温度に抑制するものであることを特徴とする吐水装置。
【発明の詳細な説明】
【技術分野】
【０００１】
本発明は、吐水装置、殊に浴室用の湯水混合型の電子制御式吐水装置に関するものである。
【背景技術】
【０００２】
浴室における吐水装置は、通常、湯水混合栓を備えるとともに、吐水口とシャワーヘッドとに切り換えて吐水することができるようになっているが、吐水口から吐水した湯を使う場合、得てして湯水を出しっぱなしにしてしまうことがある。
【０００３】
吐水口側での湯水の吐水について、吐水時間もしくは吐水量を測定して、この測定値が予め定めた値に達すれば止水してしまう定量吐水と、止水操作がなされるまで連続的に吐水を行う連続吐水とを切り換えることができるものが特許文献１で提供されている。
【０００４】
これは水平回転自在に設けた吐水口の向きを検知して、この向きの検知方向に応じて定量吐水と連続吐水とを切り換えるもので、浴槽側に吐水口を向けた場合は定量吐水を、洗い場側に吐水口を向けた場合は連続吐水を行う。
【０００５】
ところで、洗い場側で洗面器に湯を満たす場合などのように洗い場側でも定量吐水を行いたい場合もあるが、上記のものではこれに応ずることができない。もちろん、洗い場側に吐水する場合も、必要に応じて定量吐水を行うことができるようにすることで、上記の点に応ずることができる。しかし、洗面器に貯めた湯を使って洗面を行う場合、一般に低めの温度の湯を用いるために、洗顔に際しては、連続吐水と定量吐水との切り換えに加えて、湯温の調節操作も必要となる。
【先行技術文献】
【特許文献】
【０００６】
【特許文献１】実開平６−８４６６号公報
【発明の概要】
【発明が解決しようとする課題】
【０００７】
本発明は上記問題に鑑みてなされたもので、吐水口から吐水した湯を使った洗顔を行う場合の吐水操作を簡便なものとすることができる吐水装置を提供することを課題とする。
【課題を解決するための手段】
【０００８】
本発明にかかる吐水装置は、供給される水と湯を混合して設定温度に従った湯温の湯を、吐水口かシャワーヘッドかの選択されたいずれか一方の吐水先から吐出する吐水装置であって、吐水と止水とを行う止水弁と、水と湯の混合比を調整する流量調整部と、混合された湯の流量を測定する流量測定部と、湯温設定と吐水先選択のための操作部と、上記操作部で設定された湯温に応じて上記流量調整部を制御するとともに上記操作部で選択された吐水先に流路切換を行うコントローラとを備えており、上記コントローラは、操作部から止水指示を受けて止水を行う連続吐水と、上記流量測定部で測定された流量が所定量に達した時点で止水を行う定量吐水の２つのモードを備え、上記コントローラは、定量吐水のモードでは操作部で設定された湯温が所定温度よりも高い時、吐出する湯の温度を上記所定温度に抑制するものであることに特徴を有している。
【発明の効果】
【０００９】
本発明によれば、定量吐水の時には湯を出しっぱなしにしてしまうことがなくて、無駄を無くすことができる。しかも、定量吐水の時には湯温を所定温度以下に抑えてしまうために、通常用いる温度の湯よりも低いことが好ましい洗顔用の湯を、別途温度調節操作を必要とすることなく得ることができて、洗顔時の吐水操作を簡便にすることができる。
【図面の簡単な説明】
【００１０】
【図１】本発明の実施の形態の一例のブロック図である。
【図２】同上の連続吐水と定量吐水とにおける湯温特性を示す説明図である。
【発明を実施するための形態】
【００１１】
以下、本発明を図示実施例に基づいて詳述すると、図示例は、湯水混合型の電子水栓式吐水装置であり、給水管１１と給湯管２１とが混合部３を介して混合管４に接続され、混合管４は流路切換弁５を介して吐水口６とシャワーヘッド７とに接続されている。
【００１２】
上記給水管１には、手動開閉型の止水弁１１と逆止弁１２及び流量調整弁１３が設けられており、給湯管２には手動開閉型の止水弁２１と逆止弁２２及び流量調整弁２３が設けられている。また、給湯管２には流量センサ２４が設けられている。
【００１３】
上記混合管４には、電磁式の止水弁４１と流量センサ４２とが設けられ、流路切換弁５とシャワーヘッド７との間には、所定温度以上の湯の通過を阻止するハイカット弁７０が設けられている。
【００１４】
ここで、上記流量調整弁１３，２３と止水弁４１及び流路切換弁５は、マイクロコンピュータなどで構成したコントローラ８によって各動作が制御される。また、コントローラ８には、給水管１を流れる水の温度を測定するサーミスタ１５、給湯管２を流れる湯の温度を測定するサーミスタ２５、混合管５を流れる湯の温度を測定するサーミスタ５５が接続されている。このために、コントローラ８は、給水管１を通じて供給される水の温度、
給湯管２を通じて供給される湯の温度、混合管４を通じて吐出される湯の温度を認識することができる。また、コントローラ８は、流量センサ１４，２４によって給水管１及び給湯管２を通じて供給される水の量と湯の量を認識することができ、流量センサ４２によって吐出される湯の量を認識することができる。
【００１５】
図中９は電源回路、８０はコントローラ８１に接続された操作部で、この操作部８０は設定した湯温を表示したり、吐水口６側から吐出するかシャワーヘッド７側から吐出するかを表示する表示部を備えている。
【００１６】
給水管１に設けた前記止水弁１１とシャワーヘッド７との間を直接つなぐ配管１８は、停電時の非常吐水用であり、途中には手動開閉型の止水弁１９を備えている。図中１７，２７は水抜き栓である。
【００１７】
この吐水装置は、コントローラ８の操作部８０で選択された湯温の湯を、操作部８０で選択された吐水口６もしくはシャワーヘッド７から吐水する。この時、コントローラ８は、止水弁４１を開くことで吐水を開始するとともに、吐水口６とシャワーヘッド７のどちらから吐出するかの選択に応じて流路切換弁５の切換を行う。また、コントローラ８は、サーミスタ１５，２５の出力値から流量調整弁１３，２３を夫々制御して、水の流量と湯の流量を調整することで、操作部８０において設定された湯温の湯とするとともに、サーミスタ５５の出力値から湯温のフィードバック制御を行う。操作部８０に対して止水操作がなされた時には、コントローラ８０は止水弁４１を閉じて止水を行う。
【００１８】
ここにおいて、上記止水弁４１の開閉制御は、連続吐水を行う場合であり、操作部８０において使用者が吐水口６からの定量吐水を指示した場合、止水弁４１を開いた後の吐出する湯の量を、流量センサ４２によって検出し、検出値が予め設定した量（例えば洗面器を満たすことができる量）に達すれば、止水弁４１を閉じる。
【００１９】
なお、この定量吐水は、止水弁４１を開いている時間ではなく、流量を測定して流量で制御しているために、予め設定した量が３リットルである時、水圧が異なる環境においても、３リットルだけ吐出した時点で止水される。
【００２０】
また、シャワー７を使ったり、吐水口６からの湯で身体を洗ったりする場合、４０℃程度の湯が用いられれる。これに対して、洗面器に満たした湯で洗顔を行う場合、体温よりやや低い３２〜３４℃の湯が適している。このことから、この吐水装置では、吐水口６からの定量吐水が指示された場合、操作部８０で設定した湯温が所定温度（例えば上記の３２〜３４℃）を越えていても、上記所定温度の湯の定量吐水を行うものとしている。
【００２１】
連続吐水時、吐出される湯の温度は、図２にＫで示すように、操作部８０で指示した設定温度に応じたものとなる。しかし、定量吐水時には、コントローラ８は、吐出される湯の温度が上記所定温度Ｔ２以上にあがることがないように流量調整弁１３，２３を制御する。図２中のＭがこの場合を示している。設定温度が所定温度Ｔ２よりも低い場合には、設定温度通りの湯を吐出するが、設定温度が所定温度Ｔ２より高い場合には、吐出する湯の温度をＴ２に制限する。図２中のＴ１は設定可能最小温度である。
【００２２】
操作部８０における湯の温度設定や、吐出先の選択（吐水口６かシャワーヘッドか）、連続吐水か定量吐水かの選択は、どのような方式で指示するようになっていてもよい。例えば、湯の温度設定部、吐出先選択部、連続吐水定量吐水選択部の３つを個別に有するもののほか、湯の温度設定部と吐出先選択部とに加えて吐水口６からの定量吐水専用の指示部を設けたもの等々である。この他、設定温度通りの湯の定量吐水を行うことができるようにしたり、シャワーヘッド７からの吐水にも定量吐水を行うことができるようにしてもよい。
【符号の説明】
【００２３】
１  給水管
２  給湯管
３  混合部
４  混合管
５  流路切換弁
６  吐水口
７  シャワーヘッド
８  コントローラ
１３  流量調整弁
２３  流量調整弁
２４  流量センサ
４１  止水弁
４２  流量センサ
【図１】
2015113579.tif 000003
【図２】
2015113579.tif 000004